(57)【要約】【課題】正確な心電の計測が可能な心電計測装置を提供する。【解決手段】被験者の皮膚との接触によって被験者との間で発生する第１誘導電位を検出する第１電極１１と、被験者との密着によって発生する第２誘導電位を検出する静電容量結合型の第２電極１２と、被験者の皮膚に接触する第３電極１３と、第１誘導電位と第２誘導電位との電位差に基づいて被験者の心電を計測する計測回路２０と、第１誘導電位及び第２誘導電位から中間電位を検出し当該中間電位を反転増幅して第３電極１３にフィードバックするフィードバック回路３０と、を備える。【選択図】図２
2018047135.tif 000002
【特許請求の範囲】
【請求項１】
被験者の皮膚との接触によって前記被験者との間で発生する第１誘導電位を検出する第１電極と、
前記被験者との密着によって発生する第２誘導電位を検出する静電容量結合型の第２電極と、
前記被験者の皮膚に接触する第３電極と、
前記第１誘導電位と前記第２誘導電位との電位差に基づいて前記被験者の心電を計測する計測回路と、
前記第１誘導電位と前記第２誘導電位の間の中間電位を検出し、当該中間電位の信号を反転増幅して前記第３電極にフィードバックするフィードバック回路と、を備える心電計測装置。
【請求項２】
前記被験者の皮膚に接触し前記計測回路側のグランドに接続される第４電極を備える請求項１に記載の心電計測装置。
【請求項３】
前記第１電極及び前記第２電極の少なくとも一方に絶縁体を挟んで配置されるシールド電極を備え、
前記中間電位を前記シールド電極に印加する請求項１又は２に記載の心電計測装置。
【請求項４】
前記第１電極は、前記被験者の手部、腕部、頸部、及び、頭部の少なくとも何れかに対応する位置に設けられ、前記第３電極は、前記第１電極に隣接する位置に設けられる請求項１〜３のいずれか一項に記載の心電計測装置。
【請求項５】
前記第２電極は、前記被験者の臀部及び大腿部の少なくとも何れかに対応する位置に設けられる請求項１〜４のいずれか一項に記載の心電計測装置。
【請求項６】
前記第１電極、前記第２電極、及び、前記第３電極は、仰臥状態の前記被験者に対応する位置に設けられる請求項１〜５のいずれか一項に記載の心電計測装置。
【発明の詳細な説明】
【技術分野】
【０００１】
本発明は、心電計測装置に関する。
【背景技術】
【０００２】
病院等において、心電計測装置によって、ベッドに仰臥している人の心筋の活動電位を長時間継続的に計測して心電図信号として出力し、この心電図信号を用いて心電図を作成して体調管理に利用することが広く行われている。心電計測装置には、被験者が横たわるマット材に、被験者の皮膚に接触する電極を設けて心電を計測するもの（例えば、特許文献１）や、被験者の皮膚に非接触の電極（容量結合型電極）を設けるもの（例えば、特許文献２）が存在する。
【０００３】
特許文献１に示される心電計測装置では、心電を計測する上で、複数の接触電極に対して被験者の皮膚が接触し続ける必要がある。一方、特許文献２に示される心電計測装置では、被験者の皮膚が電極に接触する必要はないが、複数の容量結合型電極を用いる場合に、各々の電極によって検出される静電容量が体動や外部要因によって大きく変化する。そのため、複数の電極を、接触電極と容量結合型の非接触電極とによって構成する心電計測装置が提案されている（例えば、特許文献３）。
【先行技術文献】
【特許文献】
【０００４】
【特許文献１】特開平６−１１４０１９号公報
【特許文献２】特開２０１０−１９４１３７号公報
【特許文献３】特開２００９−１４２５７６号公報
【発明の概要】
【発明が解決しようとする課題】
【０００５】
特許文献３に示される心電計測装置は、車両の操作時に用いられるものであり、ハンドル部に設けられた接触電極と、座席のシート部に設けられた非接触電極（容量結合型電極）とを備え、検出される各誘導電位の差分に基づいて心電を計測する。しかし、接触電極と非接触電極とは、被験者の皮膚に対する接触状態が異なるので、各々の誘導電位の信号に含まれるノイズを容易に低減できない。そのため、各々の誘導電位を安定して検出することができず、誘導電位の差分によっては、心電を正確に計測することができない。
【０００６】
また、非接触電極を用いて被験者から精度よく誘導電位を検出するには、非接触電極の基準電位が安定していることが要求される。非接触電極は、被験者との間で静電容量結合しており、非接触電極と被験者との間を流れる電流は小さい。このため、非接触電極と被験者との間の静電容量結合が十分な状態になり、非接触電極の基準電位が安定するまでには相応の時間を要する。したがって、接触電極と非接触電極とを併用する心電計測装置では、両方の電極を用いて早期に正確な心電を計測することは困難である。
【０００７】
上記実情を鑑み、正確な心電の計測が可能な心電計測装置が望まれている。
【課題を解決するための手段】
【０００８】
本発明に係る心電計測装置の特徴構成は、被験者の皮膚との接触によって前記被験者との間で発生する第１誘導電位を検出する第１電極と、前記被験者との密着によって発生する第２誘導電位を検出する静電容量結合型の第２電極と、前記被験者の皮膚に接触する第３電極と、前記第１誘導電位と前記第２誘導電位との電位差に基づいて前記被験者の心電を計測する計測回路と、前記第１誘導電位と前記第２誘導電位との間の中間電位を検出し、当該中間電位の信号を反転増幅して前記第３電極にフィードバックするフィードバック回路と、を備える点にある。
【０００９】
本構成によれば、接触型の第１電極によって検出される第１誘導電位と、非接触型の第２電極によって検出される第２誘導電位との電位差に基づいて被験者の心電を計測する。第１誘導電位の信号と第２誘導電位の信号には同相ノイズが含まれているが、両信号に混入される各々のノイズの大きさは一致しないため、第１誘導電位の信号と第２誘導電位の信号との差分を計測するだけでは同相ノイズを十分に除去できない。
【００１０】
そこで、本構成では、第１誘導電位と第２誘導電位との間の中間電位の信号を反転増幅して第３電極を介して被験者にフィードバックするフィードバック回路を備える。フィードバック回路によって中間電位を有する信号を反転増幅して被験者にフィードバックすることで、第１誘導電位の信号（以下、第１信号と称する）と第２誘導電位の信号（以下、第２信号と称する）に対して逆位相の中間電位を有する信号（以下、中間信号と称する）が増幅された状態で付加される。ここで、中間信号には、第１信号及び第２信号のノイズの一部が含まれている。このため、第１信号及び第２信号のノイズは反転増幅された中間信号によって抑制されて低減する。これにより、第１信号及び第２信号に基づいて正確に心電を計測することができる。
【００１１】
心電計測装置において、被験者の皮膚と非接触の第２電極は、被験者との間で静電容量結合している。このため、第２電極の基準電位は被験者との間の電荷量が増加するにつれて上昇する。一般に、被験者が第２電極に密着した直後は、第２電極と被験者との間に流れる電流は小さい。したがって、第２電極では基準電位が上昇して安定するためには通常は相応の時間を要することになる。
【００１２】
一方、本構成では、フィードバック回路によって中間信号を反転増幅して第３電極にフィードバックする。これにより、被験者の電位は中間電位よりも高くなるため、第２電極と被験者との電位差が大きくなり、被験者と第２電極との間の電荷量は急速に増加する。その結果、第２電極の基準電位が早期に上昇して安定し、第１電極及び第２電極によって短時間で正確な心電計測を開始することができる。
【００１３】
本発明の他の特徴構成は、前記被験者の皮膚に接触し前記計測回路側のグランドに接続される第４電極を備える点にある。
【００１４】
心電計測装置では、計測回路側のグランド電位の安定化を図るために、被験者との間で誘導電位を検出する信号源側のグランドと計測回路側のグランドとを接続することがある。しかし、この場合には、被験者の体動により信号源側のグランドに外来ノイズが混入したときに、計測回路側のグランド電位が、信号源側の外来ノイズの影響を受けて不安定になる場合がある。
【００１５】
そこで、本構成では、被験者の皮膚に接触し計測回路側のグランドに接続される第４電極を備える。これにより、計測回路側のグランドに対して信号源の側で発生する外来ノイズの影響を抑制することができ、計測回路のグランドの電位が安定する。その結果、同相ノイズを低減させることができるため、心電を正確に計測することができる。
【００１６】
本発明の他の特徴構成は、前記第１電極及び前記第２電極の少なくとも一方に絶縁体を挟んで配置されるシールド電極と、前記中間電位を前記シールド電極に印加する中間電位印加回路と、を備える点にある。
【００１７】
第１電極及び第２電極には、被験者との間で誘導電位を検出する際に外来ノイズが混入することがある。この場合、外来ノイズが混入しないよう第１電極及び第２電極をグランドに接続することで外来ノイズの混入を防止する対応が考えられる。しかし、第１電極とグランドの間、及び、第２電極とグランドとの間の電位差が大きい場合にはグランドに電荷が移動して、第１電極及び第２電極によって検出される誘導電位が低下してその精度が低下することにもなる。
【００１８】
そこで、本構成では、第１電極及び第２電極の少なくとも一方に対し絶縁体を挟んで配置されるシールド電極を備え、このシールド電極に対して第１誘導電位と第２誘導電位との間の中間電位の信号を印加する。第１電極及び第２電極に対してシールド電極を配置することで、第１電極及び第２電極に対する外来ノイズの混入を抑制することができる。また、シールド電極には、第１誘導電位と第２誘導電位との間の中間電位が印加されるため、第１電極及び第２電極とシールド電極との間の電位差を小さくすることができる。これにより、第１電極及び第２電極からシールド電極に向けて電荷が移動し難くなるため第１電極及び第２電極の誘導電位の低下が抑制され、第１電極及び第２電極によって誘導電位を精度よく検出することができる。
【００１９】
本発明の他の特徴構成は、前記第１電極は、前記被験者の手部、腕部、頸部、及び、頭部の少なくとも何れかに対応する位置に設けられ、前記第３電極は、前記第１電極に隣接する位置に設けられる点にある。
【００２０】
本構成によれば、被験者の皮膚に接触させる第１電極が、被験者において露出が容易な部位に設けられるため、安定した第１誘導電位の検出が可能となる。また、被験者の皮膚に接触する第３電極が第１電極に隣接する位置に設けられるため、第３電極を被験者の皮膚に接触させ易い。これにより、被験者の皮膚に対して第１電極及び第３電極を安定的に当接させることができる。
【００２１】
本発明の他の特徴構成は、前記第２電極は、前記被験者の臀部及び大腿部の少なくとも何れかに対応する位置に設けられる点にある。
【００２２】
本構成によれば、静電容量結合型の第２電極が、被験者の臀部及び大腿部に対応する位置に設けられている。被験者の臀部及び大腿部は通常衣服で覆われており、第２電極は衣服を介して臀部及び大腿部と密着しているので、第２電極は静電容量結合型の電極となる。これにより、被験者が第２電極に確実に密着して第２誘導電位の検出を安定的に行うことができる。
【００２３】
本発明の他の特徴構成は、前記第１電極、前記第２電極、及び、前記第３電極は、仰臥状態の前記被験者に対応する位置に設けられる点にある。
【００２４】
本構成によれば、仰臥状態の被験者に対して、第１電極、第２電極、及び、第３電極が設けられているため、被験者と各電極との位置ずれが生じ難く、体動によるノイズが発生する可能性も低い。このため、被験者の皮膚に接触する電極と、被験者の皮膚に非接触の静電容量結合型電極とを併用する心電計測装置であっても、心電の計測を精度よく行うことができる。
【図面の簡単な説明】
【００２５】
【図１】第１実施形態の心電測定装置における測定電極の配置を示す図である。
【図２】第１実施形態の心電測定装置の構成を示すブロック図である。
【図３】測定電極の構成を示す図である。
【図４】心電図の一例を示すグラフある。
【図５】第２実施形態の心電測定装置における測定電極の配置を示す図である。
【発明を実施するための形態】
【００２６】
以下に、本発明の実施形態を図面に基づいて説明する。
【００２７】
〔第１実施形態〕
図１及び図２に示すように、心電計測装置１は仰臥状態の被験者Ｈの心電を計測する。
心電計測装置１は、被験者Ｈの皮膚に接触する第１電極１１と、被験者Ｈの皮膚に非接触の第２電極１２と、を備える。第１電極１１は矩形状のマット部２の上に載置される枕部３に配置され、第２電極１２はマット部２の表面に配置される。
【００２８】
第１電極１１は、枕部３の表面に露出し、被験者Ｈの頸部が直に接触する位置に配置される。第１電極１１は、被験者Ｈの皮膚との接触によって被験者Ｈとの間で発生する第１誘導電位を検出して第１信号として出力する。第１信号は被験者Ｈの心電信号である。第１電極１１は、マット部２を平面視したときの短手方向に沿って設けられ、例えば、棒線状に形成されている。なお、第１電極１１の形状は、被験者Ｈの皮膚が常に接触して第１誘導電位を検出する形状であればよく、棒線以外の形状でもよい。
【００２９】
第２電極１２は、マット部２の表面に露出し、被験者Ｈの臀部及び大腿部が当接する位置に配置される。被験者Ｈの臀部及び大腿部と第２電極１２との間に被験者Ｈの衣服が存在することにより、第２電極１２は静電容量結合型の電極として機能する。第２電極１２は、被験者Ｈが衣服を介して密着することによって発生する第２誘導電位を検出して第２信号として出力する。第２信号は被験者Ｈの心電信号である。第２電極１２は、例えば略矩形状に形成され、マット部２の短手方向が長くマット部２の長手方向が短くなるように配置されている。なお、第２電極１２は、被験者Ｈが寝返りをした場合でも常に被験者Ｈに密着して第２誘導電位を検出可能な形状であればよく、矩形以外の形状でもよい。
【００３０】
第１電極１１及び第２電極１２には、銅等の導電性の高い導電布、又は薄く柔軟性のある金属板等が用いられる。
【００３１】
図２に示すように、心電計測装置１は計測回路２０を有している。計測回路２０は、心電を形成するために、一対の電圧フォロワ回路２１、２２と、計装増幅器２３と、を備え、計装増幅器２３には、ノッチフィルタ２４、増幅回路２５、ハイパスフィルタ２６、ローパスフィルタ２７、及び、Ａ／Ｄ変換器２８が順に接続されている。
【００３２】
電圧フォロワ回路２１は増幅率１のインピーダンス変換アンプである。電圧フォロワ回路２１の入力端子（非反転端子）には測定電極である第１電極１１が接続されている。第１電極１１と電圧フォロワ回路２１の入力端子との間には、第１信号を電圧フォロワ回路２１の基準電位のレベルにするための高インピーダンスの抵抗Ｒ１が接続されており、電圧フォロワ回路２１への入力バイアス電流のリターンパスとなっている。
【００３３】
電圧フォロワ回路２２は、電圧フォロワ回路２１と同一の仕様を備えた増幅率１のインピーダンス変換アンプである。電圧フォロワ回路２２の入力端子（非反転端子）には測定電極である第２電極１２が接続されている。第２電極１２と電圧フォロワ回路２２の入力端子との間には、第２信号を電圧フォロワ回路２２の基準電位のレベルにするための高インピーダンスの抵抗Ｒ２が接続されており、電圧フォロワ回路２２への入力バイアス電流のリターンパスとなっている。
【００３４】
電圧フォロワ回路２１、２２から出力された第１信号及び第２信号は計装増幅器２３に入力され、第１信号と第２信号との電位差に相当する電圧値が１０倍から１０００倍に増幅されて出力される。計装増幅器２３から出力された電気信号（心電信号）は、ノッチフィルタ２４で電源回路（商用電源）に由来する６０Ｈｚ又は５０Ｈｚのノイズを除去され、更に直流増幅回路２５によって増幅され、ハイパスフィルタ２６、ローパスフィルタ２７を通過した後に、Ａ／Ｄ変換器２８によってデジタル信号（心電信号）に変換される。変換されたデジタル信号は、通信手段等を介して不図示の出力装置に入力されて、出力装置によって心電図が出力される。
【００３５】
計装増幅器２３は、心電を形成するためのノッチフィルタ２４とは別に、フィードバック回路３０にも接続される。フィードバック回路３０は、電圧フォロワ回路３１と、反転増幅回路３２と、を備える。
【００３６】
フィードバック回路３０によって、第１電極１１が出力する第１信号と、第２電極１２が出力する第２信号との間の中間電位を有する中間信号が、枕部３の第３電極１３にフィードバックされる。具体的には、計装増幅器２３から第１誘導電位と第２誘導電位との間の中間電位（第１誘導電位及び第２誘導電位の平均電位）を有する中間信号が出力され、この中間信号が電圧フォロワ回路３１の入力端子（非反転端子）に入力される。電圧フォロワ回路３１から出力される中間信号は、反転増幅回路３２によって反転増幅され、第３電極１３に入力（フィードバック）される。反転増幅回路３２の出力端子と第３電極１３との間には、被験者Ｈの皮膚に流れる電流を制限するための抵抗Ｒ３が設けられている。なお、第３電極１３とは、枕部３の第１電極１１に対してマット部２の長手方向に隣接する位置に配置された電極であり、被験者Ｈの皮膚に直に接触する電極である。第１電極１１と第３電極１３とは互いが平行になるように設けられている。
【００３７】
フィードバック回路３０によって、中間信号を反転増幅して被験者Ｈにフィードバックすることで、第１信号及び第２信号に対して逆位相の中間信号が増幅された状態で付加される。中間信号には、第１信号及び第２信号のノイズの一部が含まれている。このため、第１信号及び第２信号のノイズは反転増幅された中間信号によって抑制されて低減する。これにより、第１信号及び第２信号に基づいて正確な心電信号を出力して心電を計測することができる。
【００３８】
心電計測装置１において、被験者Ｈの皮膚に接触する第１電極１１は、その表面が基準電位となり、この基準電位は変動しないため安定的に誘導電位を検出することができる。一方、被験者Ｈの皮膚と非接触の第２電極１２は、被験者Ｈとの間で静電容量結合している。第２電極１２の基準電位は被験者Ｈとの間の電荷量が増加するにつれて上昇する。このため、第２電極１２は基準電位が上昇して安定するまでは正確に心電を計測できない。一般に、被験者Ｈが第２電極１２に密着した直後は、被験者Ｈと第２電極１２との間を流れる電流は小さいため、被験者Ｈの第２電極１２への密着後、第２電極１２の基準電位が上昇して安定するまでには通常は相応の時間を要する。
【００３９】
そこで、本実施形態の心電計測装置１はフィードバック回路３０を備えており、フィードバック回路３０によって第１誘導電位と第２誘導電位との間の中間電位を有する中間信号を反転増幅して第３電極１３にフィードバックする。これにより、被験者Ｈの電位は中間電位よりも高くなるため、被験者Ｈと第２電極１２との電位差が大きくなり、被験者Ｈと第２電極１２との間の電荷量は急速に増加する。その結果、第２電極１２の基準電位は早期に上昇して安定し、第１電極１１及び第２電極１２によって短時間で正確な心電計測を開始することができる。
【００４０】
枕部３には、マット部２の長手方向において第１電極１１に隣接する位置に第４電極１４が配置されている。第４電極１４は、枕部３の短手方向において第３電極１３との間に第１電極１１を挟む位置に設けられている。第４電極１４は、被験者Ｈの皮膚に直接接触する電極であって、計測回路２０のグランドＧＮＤに接続される。第４電極１４と計測回路２０のグランドＧＮＤとの間には抵抗Ｒ４が設けられている。
【００４１】
心電計測装置１では、計測回路２０側のグランド電位の安定化を図るため、被験者Ｈとの間で誘導電位を検出する信号源側（例えばマット部２）のグランドと計測回路側のグランドＧＮＤとを接続することがある。しかし、この場合には、被験者Ｈの体動により信号源側のグランドに外来ノイズが混入したときに、計測回路２０側のグランド電位が、信号源側の外来ノイズの影響を受けて不安定になる場合がある。
【００４２】
これに対し、本実施形態では、被験者Ｈの皮膚に接触し計測回路２０側のグランドＧＮＤに接続される第４電極１４が備えられている。これにより、計測回路２０側のグランドＧＮＤに対して信号源側（マット部２）で発生する外来ノイズの影響を抑制することができる。また、計測回路２０側において発生する電流ノイズを第４電極１４から被験者Ｈに向けて逃がすこともできる。これにより、計測回路２０側のグランド電位が安定し、同相ノイズが低減するため、心電を正確に計測することができる。第４電極１４とグランドＧＮＤとの間の抵抗Ｒ４を大きくし、計測回路２０側の電流ノイズが被験者Ｈまで届かないように構成してもよい。なお、抵抗Ｒ４を介して第４電極１４と接続されるグランドＧＮＤと、計測回路２０のその他の部位のグランドとは、互いにノイズ等の影響を抑制するため、分離すると好適である。
【００４３】
第１電極１１及び第２電極１２には、被験者Ｈとの間の電位を検出する際に外来ノイズが混入することがある。そこで、図３に示すように、絶縁シート（絶縁体の一例）１６を挟んで第２電極１２とは反対の側にシールド電極１８が配置されている。絶縁シート１６は、第２電極１２よりも一回り大きい面積を有しており、シールド電極１８は絶縁シート１６とほぼ同形であって絶縁シート１６に積層されている。すなわち、絶縁シート１６の表側に第２電極１２が配置され、絶縁シート１６の裏側にシールド電極１８が配置されている。
【００４４】
絶縁シート（絶縁体の一例）１５を挟んで第１電極１１とは反対の側にもシールド電極１７が配置されている。絶縁シート１５は、第１電極１１よりも一回り大きい面積を有しており、シールド電極１７は絶縁シート１５とほぼ同形であって絶縁シート１５に積層されている。すなわち、絶縁シート１５の表側に第１電極１１が配置され、絶縁シート１５の裏側にシールド電極１７が配置されている。絶縁シート１５，１６には、絶縁性の高い布や不織布等を用いることができる。
【００４５】
第１電極１１及び第２電極１２に対して絶縁シート１５，１６を介してシールド電極１７，１８を配置することで、第１電極１１及び第２電極１２に対する外来ノイズの混入を抑制することができる。ただし、第１電極１１及び第２電極１２とシールド電極１７，１８との間の電位差が大きい場合には、第１電極１１、第２電極１２からシールド電極１７，１８の側に電荷が移動し、第１電極１１及び第２電極１２によって検出される誘導電位の精度が低下して、心電信号が不正確になるおそれがある。
【００４６】
そこで、本実施形態では、シールド電極１７，１８は、フィードバック回路３０の電圧フォロワ回路３１の出力端子に接続されており、電圧フォロワ回路３１から第１誘導電位と第２誘導電位との間の中間電位を有する中間信号が印加される。シールド電極１７，１８に中間信号を印加することで、第１電極１１及び第２電極１２とシールド電極１７，１８との間の電位差を小さくすることができる。これにより、第１電極１１及び第２電極１２からシールド電極１７，１８に向けて電荷が移動し難くなるため、第１電極１１及び第２電極１２の誘導電位が低下が抑制され、その結果、正確な心電を計測することができる。
【００４７】
本実施形態の心電計測装置１で計測され出力装置から出力された心電信号による心電図を図４に示す。図４に示される心電図（特に拡大図）は、同相ノイズ及び外来ノイズが軽減された結果として、精度の高いクリアな心電図信号が継続的に出力されていることが分かる。
【００４８】
〔第２実施形態〕
本実施形態の心電測定装置１００は、第１実施形態とは異なり、着座姿勢の被験者Ｈの心電を計測する。図５に示すように、心電測定装置１００は、着座部１０１と、背当て部１０２と、一対の肘掛け部１０３と、を備えており、着座部１０１に第２電極１１２が配置され、一対の肘掛け部１０３の少なくとも一方の上面に第１電極１１１が配置されている。肘掛け部１０３の上面には、第１電極１１１に隣接する位置に第３電極１１３及び第４電極１１４が配置されている。
【００４９】
第１電極１１１は、肘掛け部１０３において被験者Ｈの手部又は腕部の皮膚が直接接触する位置に設けられる。第２電極１１２は、着座部１０１において被験者Ｈの臀部又は大腿部が密着する位置に設けられる。なお、心電測定装置１００の他の構成は、第１実施形態と同様である。
【００５０】
〔他の実施形態〕
（１）上記の実施形態では、第１電極１１及び第２電極１２の両方に対して夫々シールド電極１７，１８を備える例を示したが、第１電極１１及び第２電極１２の一方に対してシールド電極（１７又は１８）を備える構成でもよいし、シールド電極１７，１８を全く備えない構成でもよい。
【００５１】
（２）第１実施形態では、仰臥状態の被験者Ｈの心電を計測する例を示したが、伏臥状態の被験者Ｈの心電を計測してもよい。この場合は、第１電極１１は、例えば被験者Ｈの頭部に対応する位置に配置され、第２電極１２は被験者Ｈの下腹部に対応する位置に配置される。
【００５２】
（３）第１電極１１（１１１）は、被験者Ｈにおいて皮膚が露出され易い部位であれば、頭部、頸部、腕部以外の位置に設けてもよい。また、第２電極１２（１１２）は、被験者Ｈの背部や脚部等、被験者Ｈが密着可能な部位であれば、臀部大腿部以外の位置に設けてもよい。
【産業上の利用可能性】
【００５３】
本発明は、心電計測装置において広く利用することできる。
【符号の説明】
【００５４】
１            ：心電計測装置
１１，１１１  ：第１電極
１２，１１２  ：第２電極
１３，１１３  ：第３電極
１４，１１４  ：第４電極
１５，１６    ：絶縁シート（絶縁体）
１７，１８    ：シールド電極
２０          ：計測回路
３０          ：フィードバック回路
３１          ：電圧フォロワ回路
３２          ：反転増幅回路
ＧＮＤ        ：グランド
Ｈ            ：被験者
【図１】
2018047135.tif 000003
【図２】
2018047135.tif 000004
【図３】
2018047135.tif 000005
【図４】
2018047135.tif 000006
【図５】
2018047135.tif 000007